【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
導波路に沿って伝搬する光信号を制御する方法であって、
導波路コア、クラッディング、光電ポリマ、及び１組の制御電極を備えた導波路構造を提供するステップであって、
前記光電ポリマは、前記光信号の伝搬方向に直交する方向に高さ部分ｈを画定し、
前記光電ポリマは、前記導波路コア及び前記クラッディングによって、前記高さ部分ｈの両端上に固定されており、
前記光電ポリマは、前記制御電極が発生する電界の印加の下で、非結合屈折率値ｎＥＯから結合屈折率値ｎＥＯ’の間で変動する屈折率を画定し、
前記結合屈折率値ｎＥＯ’は、前記非結合屈折率値ｎＥＯ及び前記クラッディングの屈折率ｎＣＬＡＤよりも大きく、
前記制御電極、前記高さ部分ｈ、前記導波路コアの前記屈折率のそれぞれ、前記クラッディング、及び前記光電ポリマは、前記光電ポリマの屈折率が増大したときに、前記導波路コアに沿って伝搬する光信号の高輝度部分が前記光電ポリマに結合されて該光電ポリマ中を伝搬し、そして、前記導波路コアに戻るように構成されている
導波路構造提供ステップと、
前記制御電極に駆動電圧を印加することによって、前記光電ポリマの前記電界を生成するステップと、
前記駆動電圧を制御して、前記光電ポリマの前記屈折率が、前記光電ポリマの高屈折率領域では前記結合屈折率値ｎＥＯ’となるようにするとともに、前記導波路コアを伝搬する光信号の高輝度部分が、前記光電ポリマの前記高屈折率領域に結合し、前記クラッディングによって一端で反射され、そして、前記導波路コアに戻るようにする、駆動電圧制御ステップと
からなることを特徴とする方法。
【請求項２】
請求項１記載の方法において、
前記光電ポリマは、非ポール（極性）光電ポリマであり、
前記非ポール光電ポリマは、該光電ポリマの前記屈折率が、カー効果によって生じる光電応答によって支配されて増大するように選択されている
ことを特徴とする方法。
【請求項３】
請求項１記載の方法において、前記導波路構造は、前記非結合屈折率ｎＥＯ及び前記結合屈折率ｎＥＯ’の間の差Δｎが、
Δｎ＝λ０・Ｋ・Ｅ２
ただし、λ０：光源波長
Ｋ：光電ポリマのカー係数
Ｅ：電圧によって誘導されたＤＣ電界
によって規定されるように構成されていることを特徴とする方法。
【請求項４】
請求項１記載の方法において、
前記１組の制御電極及び前記光電ポリマは、前記光信号の伝搬方向に前記導波路コアの部分に沿って前記導波路構造の能動領域が延在するように該能動領域を規定し、
前記能動領域における導波路コアは、前記高さ部分ｈにほぼ平行な方向に沿ってコア高さｈｃを備え、該コア高さは、前記能動領域の外側のコアの高さ部分に対応して低減されている
ことを特徴とする方法。
【請求項５】
請求項１記載の方法において、前記導波路構造は位相遅延構造を備え、前記光電ポリマの高屈折率領域は前記結合された光信号に位相遅延を導入するよう構成されていることを特徴とする方法。
【請求項６】
導波路に沿って伝搬する光信号の位相を制御する方法において、
導波路コア、クラッディング、光電ポリマ、及び１組の制御電極を備えた導波路構造を提供するステップであって、
前記光電ポリマは、前記制御電極により生成される電界の印加の下で変動する屈折率を画定し、
前記非ポール光電ポリマは、前記屈折率が、カー効果から生じる光電応答に支配されるように選択され、
前記導波路コア、前記クラッディング、及び前記光電ポリマは、前記光電ポリマの屈折率が増大したときに、前記導波路コアに沿って伝搬する光信号の殆どの部分が前記光電ポリマの高屈折率領域に結合し、
前記光電ポリマの高屈折率部分は、前記結合された光信号に位相遅延を導入するよう構成されており、
前記導波路コア、前記クラッディング、及び光電ポリマは、前記光信号の結合された部分が前記導波路コアに戻るように構成されている
導波路構造提供ステップと、
前記位相遅延構造を、前記非ポール光電ポリマの発色団が移動する温度で動作させるステップと、
前記制御電極にＤＣ駆動電圧を印加することによって、前記光電ポリマに前記電界を生成するステップと、
前記位相遅延構造の前記動作電圧で前記ＤＣ駆動電圧を変動させることによって、前記光信号の結合を制御するステップであって、前記ＤＣ駆動電圧は、前記発色団の大部分の配向により前記非ポール光電ポリマの屈折率が増大するに十分な最大値と、前記光電ポリマが非配向状態に向かうときの最小値との間で変動される、制御ステップと
からなることを特徴とする方法。
【請求項７】
ほぼ平坦な光波回路における導波路に沿って伝搬する光信号を減衰する方法であって、
導波路コア、クラッディング、光電ポリマ、非ポール光電ポリマ、及び１組の制御電極を備えた可変光減衰構造を提供するステップであって、
前記光電ポリマは、前記制御電極により生成される電界の印加の下で変動する屈折率を画定し、
前記光電ポリマは、前記屈折率が、カー効果から生じる光電応答に支配されるように選択された非ポール光電ポリマであり、
前記導波路コア、前記クラッディング、及び前記光電ポリマは、前記光電ポリマの屈折率が増大したときに、前記導波路コアに沿って伝搬する光信号の殆どの部分が前記光電ポリマの高屈折率領域に結合し、
前記導波路コア、前記クラッディング、及び光電ポリマは、前記光信号の結合された部分が前記導波路コアに戻らないように構成され、
前記導波路コアは、前記平坦光波回路のコア層を占めるコア厚を画定し、
前記光電ポリマ及び前記制御電極は、前記コア層の上に前記高屈折率領域を画定する
可変光減衰構造提供ステップと、
前記制御電極に駆動電圧を印加することによって、前記光電ポリマに前記電界を生成するステップと、
前記駆動電圧を変動させることによって、前記可変光減衰構造における減衰を制御するステップと
からなることを特徴とする方法。
【請求項８】
請求項７記載の方法において、該方法は更に、
前記可変減衰構造を、前記非ポール光電ポリマの発色団が移動する温度で動作させるステップと、
ＤＣ駆動電圧を印加することによって、前記電界を生成するステップと、
前記可変光減衰構造の前記動作電圧で前記ＤＣ駆動電圧を変動させるステップであって、前記ＤＣ駆動電圧は、前記発色団の大部分の配向により前記光電ポリマの屈折率が増大するに十分な最大値と、前記光電ポリマが非配向状態に向かう最小値との間で変動される、ステップと
からなることを特徴とする方法。
【請求項９】
請求項７記載の方法において、前記光電ポリマは、前記導波路コアの部分にそって延在し、前記クラッディングによって前記導波路コアから離間されていることを特徴とする方法。
【請求項１０】
請求項７記載の方法において、前記制御電極は、前記光信号の偏光に非応答である光電応答特性を提供する電極／コア組み合わせを画定するように、前記導波路コアに関して構成されていることを特徴とする方法。
【請求項１１】
請求項７記載の方法において、前記制御電極は、ＴＥ又はＴＭ偏光光に応答する光電応答特性を提供する電極／コア組み合わせを画定するように、前記導波路コアに関して構成されていることを特徴とする方法。
【請求項１２】
ほぼ平坦な光波回路における導波路に沿って伝搬する光信号を減衰する方法において、
導波路コア、クラッディング、光電ポリマ、及び１組の制御電極を備えた可変光減衰構造を提供するステップであって、
前記光電ポリマは、前記制御電極により生成される電界の印加の下で変動する屈折率を画定し、
前記導波路コア及び前記光電ポリマは、前記光電ポリマの屈折率が増大したときに、前記導波路コアに沿って伝搬する光信号の殆どの部分が前記光電ポリマの高屈折率領域に結合するように、前記導波路コアによって画定されるコア層の部分に沿う共通インターフェースを共有するよう構成されており、
前記導波路コア、前記クラッディング、及び光電ポリマは、前記光信号の結合された部分が前記導波路コアに戻らないように構成されており、
前記導波路コアは、前記平坦な光波回路のコア層を占めるコア厚を画定し、
前記平坦な光波回路の前記コア層は、該回路の平面にほぼ平行に延在しており、
前記光電ポリマ及び前記制御電極は、前記コア層の上に前記高屈折率領域を画定するよう構成されている
可変光減衰構造提供ステップと、
前記制御電極に駆動電圧を印加することによって、前記光電ポリマに前記電界を生成するステップと、
前記駆動電圧を変動させることによって、前記可変光減衰構造での減衰を制御するステップであって、前記光電ポリマは、前記導波路コアの大部分と境界を接している、ステップと
からなることを特徴とする方法。
【請求項１３】
導波路に沿って伝搬する光信号を減衰する方法であって、
導波路コア、クラッディング、非ポール光電ポリマ、及び１組の制御電極を備えた可変光減衰構造を提供するステップであって、
前記非ポール光電ポリマは、前記制御電極に発生される電界の印加の下で変動する屈折率を画定するように構成されており、
前記非ポール光電ポリマは、前記屈折率の前記変動が、カー効果によって生ずる光電応答によって支配されるように選択され、
前記コア、前記クラッディング、前記光電ポリマは、前記ポリマの前記屈折率増大により、前記導波路コアに沿って伝搬する光信号の大部分が前記光電ポリマの相対的に屈折率が高い領域に結合するように構成されており、
前記コア、前記クラッディング、前記光電ポリマは、前記光信号の前記結合された部分が前記導波路コアに戻らないように構成されている
可変光減衰構造提供ステップと、
前記非ポール光電ポリマの発色団が移動可能となる温度において、前記可変光減衰構造を動作させるステップと、
ＤＣ駆動電圧を前記制御電極に印加することにより、前記光電ポリマ内に前記電界を発生するステップと、
前記ＤＣ電圧を変化させることにより、前記可変光減衰構造における減衰を制御するステップであって、
前記可変光減衰構造の前記動作温度において前記ＤＣ駆動電圧を変化させ、
前記発色団の大部分の配向によって前記非ポール光電ポリマの前記屈折率を高めるのに十分な最大電圧値と、前記光電ポリマが配向状態が弱まっていくように構成される最少電圧値との間で、前記位相遅延構造の前記動作温度において、前記ＤＣ駆動電圧を変化させる
制御ステップと
かなることを特徴とする方法。